(57)【特許請求の範囲】
【請求項１】
原稿台を備えた原稿読取ユニットと、前記原稿台に載置された原稿を押えるための原稿押えユニットと、前記原稿押えユニットの一端部を回動可能に支持するとともに摺動軸を備えたヒンジ部と、前記原稿押えユニットに一体的に構成されるとともに前記ヒンジ部の前記摺動軸を上下方向に摺動可能に支持する円筒部を備えたヒンジ受け部とを有する画像読取装置の原稿押え開閉機構において、
前記ヒンジ受け部の前記円筒部の内壁に、上下方向に所定の距離をおいて相対向する２つの突出部を設け、該２つの突出部のうちの上方の突出部を、前記原稿押えユニットの自由端部に近接する側に設け、
前記円筒部及び前記２つの突出部が一体成形されることを特徴とする画像読取装置の原稿押え開閉機構。
【発明の詳細な説明】
【０００１】
【発明の属する技術分野】
本発明は、画像読取装置の原稿押え開閉機構に関し、特に、ファクシミリや複写機に用いられる原稿固定型読取装置の原稿押え開閉機構に関する。
【０００２】
【従来の技術】
従来、複写機やファクシミリ装置において、ガラス面を備えた原稿台に載置された原稿を押えるための原稿押え開閉機構において、読取対象の原稿が本などの厚手の場合には、ヒンジ部の支点を上方へ移動させることで原稿を均一に押圧している。
【０００３】
例えば、特開昭５７−７０５２６号公報に記載の複写機の原稿押え板開閉装置は、図３に示すように、原稿押え板３９のヒンジ部３６に回転拘束した回転軸３７に偏心カム３８を固着し、この偏心カム３８によってヒンジ部３６を枢着したケース３４内の圧縮コイルばね３５を押し込むようにするとともに、ケース３４に装着したガイドローラ３３が複写機本体３１側のＣ形ガイドレール３２内を上下方向に摺動自在に構成され、原稿の厚さが変化しても原稿押え板３９の操作フィーリングが不変となるという効果を奏する。尚、この公報に記載のような原稿押え板開閉装置は、原稿押え板３９を含む原稿押えユニットが比較的重い場合に適用される。
【０００４】
一方、原稿押えユニットが比較的軽い場合には、図４に示すように、原稿押え板４２を回転軸４４によって回動可能に支持するヒンジ部４３に金属製の軸４６を一体化し、この軸４６を、原稿読取ユニット４１に一体化した円筒形樹脂材４５によって上下方向に摺動可能に支持する機構が採用されている。
【０００５】
【発明が解決しようとする課題】
しかし、原稿押えユニットが比較的重い場合に適用される上記特開昭５７−７０５２６号公報に記載の複写機の原稿押え板開閉装置は、摺動部分にガイドローラ３３等の部材を設置しているため、構成が複雑になり、装置の製造コストが上昇するという問題があった。
【０００６】
一方、原稿押えユニットが比較的軽い場合に適用される図４に示した原稿押え開閉機構では、図５に示すように、原稿押えユニットの重量によってヒンジ部４３に加わる矢印Ｄ方向の回転モーメントにより、円筒形樹脂材４５の内壁と軸４６の外周面との接触部分４７における摩擦力が大きくなり、上下方向の摺動性が悪化し、操作フィーリングが損なわれるという問題があった。
【０００７】
そこで、本発明は、上記従来の原稿押え開閉機構等における問題点に鑑みてなされたものであって、比較的重い原稿押えユニットの場合でも、構成が簡単で、装置のコストを低減することができ、上下方向の摺動性が良く、操作フィーリングが良好な画像読取装置の原稿押え開閉機構を提供することを目的とする。
【０００８】
【課題を解決するための手段】
上記目的を達成するため、請求項１記載の発明は、原稿台を備えた原稿読取ユニットと、前記原稿台に載置された原稿を押えるための原稿押えユニットと、前記原稿押えユニットの一端部を回動可能に支持するとともに摺動軸を備えたヒンジ部と、前記原稿押えユニットに一体的に構成されるとともに前記ヒンジ部の前記摺動軸を上下方向に摺動可能に支持する円筒部を備えたヒンジ受け部とを有する画像読取装置の原稿押え開閉機構において、前記ヒンジ受け部の前記円筒部の内壁に、上下方向に所定の距離をおいて相対向する２つの突出部を設け、該２つの突出部のうちの上方の突出部を、前記原稿押えユニットの自由端部に近接する側に設け、前記円筒部及び前記２つの突出部が一体成形されることを特徴とする。
【０００９】
そして、請求項１記載の発明によれば、原稿押えユニットの開閉動作によってヒンジ部に回転モーメントが加わった場合でも、ヒンジ受け部の円筒部の内壁に設けた２つの突出部によってヒンジ部の摺動軸を上下方向に摺動可能に支持するため、摺動軸が２つの突出部に当接するだけで済み、２つの突出部が存在しない場合に比較して摺動軸との接触面積が大幅に減少して摩擦力が減少するため、原稿押えユニットを上下方向に滑らかに移動させることができる。
【００１１】
【発明の実施の形態】
次に、本発明にかかる画像読取装置の原稿押え開閉機構の実施の形態の具体例を図面を参照しながら説明する。
【００１２】
図１及び図２は、本発明にかかる画像読取装置の原稿押え開閉機構（以下「原稿押え開閉機構」と略称する）の一実施例を示し、この原稿押え開閉機構１は、大別して、ガラス板等の透明な材質で形成された原稿台１１を備えた原稿読取ユニット１０と、原稿台１１に載置された原稿７を押えるための原稿押えユニットと２、原稿押えユニット２を回動可能に支持するヒンジ部３と、ヒンジ部３を上下方向に摺動可能に支持するヒンジ受け部９とで構成される。
【００１３】
ヒンジ部３は、回転軸４を介して原稿押えユニット２の一端部を回動可能に支持するとともに、上下方向に延設された摺動軸６を備える。
【００１４】
ヒンジ受け部９は、原稿読取ユニット１０の端部に一体的に構成されるとともに、ヒンジ部３の摺動軸６を上下方向に摺動可能に支持する円筒部５を備える。円筒部５の内壁には、互いに上下方向に所定の距離をおいて相対向する２つの突出部５ａが突設され、これら２つの突出部５ａのうちの上方の突出部５ａは、原稿押えユニット２の自由端部２ａに近接する側に配置されている。突出部５ａは、円筒部５とともに高摺動性の樹脂材料で一体成形されている。そして、両突出部５ａは、摺動軸６がスムーズに摺動できるとともに、原稿押えユニット２の開閉感が損なわれないように、０．５ｍｍ程度の隙間を設けて摺動軸６の遊びを確保する。また、摺動軸６の下部には、円筒部５からの抜けを防止するためのリング状のストッパ１２が装着される。
【００１５】
次に、上記構成を有する原稿押え開閉機構１の動作について詳細に説明する。
【００１６】
図２に示すように、原稿押えユニット２により厚手の原稿７を押えた場合、ヒンジ部３は、原稿７を均等に押えるように矢印Ｂ方向へ摺動する。この際、ヒンジ部３には、常時矢印Ａ方向の回転モーメントが加えられているため、摺動軸６が円筒部５間で擦れながらＢ方向へ移動する。このとき、摺動軸６の外周面と突出部５ａと表面との間に発生する摩擦力は、接触力と材料による摩擦係数に比例するため、摺動性を悪化させる。また、接触力により接触面が弾性変形する材料同士の場合には、接触面積が摩擦係数に影響する。
【００１７】
そこで、本発明では、円筒部５の突出部５ａと摺動軸６の外周面との接触面積、及び突出部５ａの材質を最適化し、上記接触面積を最小に留めることで、突出部５ａの表面に発生する摩擦力を小さくするとともに、円筒部５に高摺動性の材料を選定することで、原稿押えユニット２がより滑らかに上下方向に摺動できるようにしている。
【００１８】
尚、突出部５ａを、円筒部５の他の部分とは異なる高摺動性の別部材とすることにより、円筒部５の材料は任意で良くなるため、安価な材料を選定でき、装置の製造コストを低減することができる。
【００１９】
【発明の効果】
以上説明したように、本発明によれば、比較的重い原稿押えユニットの場合でも、構成が簡単で、装置のコストを低減することができ、上下方向の摺動性が良く、操作フィーリングが良好な原稿押え開閉機構を提供することができる。
【図面の簡単な説明】
【図１】本発明にかかる原稿押え開閉機構の一実施例を示す概略図である。
【図２】図１の原稿押え開閉機構を装備した画像読取装置の動作を説明するための概略図である。
【図３】従来の複写機の原稿押え板開閉装置の一例を示す図であって、（ａ）は正面図、（ｂ）は（ａ）のＣ−Ｃ線断面図である。
【図４】従来の原稿押え開閉機構の他の例を示す概略図である。
【図５】図４の原稿押え開閉機構の動作を説明するための概略図である。
【符号の説明】
１      原稿押え開閉機構
２      原稿押えユニット
２ａ    自由端部
３      ヒンジ部
４      回転軸
５      円筒部
５ａ    突出部
６      摺動軸
７      原稿
９      ヒンジ受け部
１０    原稿読取ユニット
１１    原稿台
１２    ストッパ
【図１】
0004768139.tif 000002
【図２】
0004768139.tif 000003
【図３】
0004768139.tif 000004
【図４】
0004768139.tif 000005
【図５】
0004768139.tif 000006